(57)【要約】【課題】歯茎が健康状態にあるか疾患状態にあるかを視覚的及び／又は触覚的に判断することを容易にする歯茎ディスプレイを提供すること。【解決手段】健康状態の歯茎を模した歯及び歯茎モデル１０と、疾患状態の歯茎を模した歯及び歯茎モデル１２と、これらの歯及び歯茎モデルが、視覚的及び／又は触覚的に認識可能な状態で並置される設置部１００とを有することを特徴とする歯茎ディスプレイである。これにより、健康状態の歯茎と疾患状態の歯茎を客観的に対比することができるようになり、自己の歯茎の状態を容易かつ的確に判断することが可能となる。【選択図】図２
0003107818.tif 000002
【実用新案登録請求の範囲】
【請求項１】
健康状態の歯茎を模した歯及び歯茎モデルと、
疾患状態の歯茎を模した歯及び歯茎モデルと、
前記歯及び歯茎モデルが、視覚的及び／又は触覚的に認識可能な状態で並置される設置部とを有することを特徴とする歯茎ディスプレイ。
【請求項２】
前記歯及び歯茎モデルが、
実際の健康状態及び疾患状態に近い弾力性を有することを特徴とする請求項１に記載の歯茎ディスプレイ。
【請求項３】
前記歯及び歯茎モデルが、
実際の健康状態及び疾患状態に近い色彩を有することを特徴とする請求項１又は請求項２のいずれかに記載の歯茎ディスプレイ。
【請求項４】
前記歯及び歯茎モデルが、
実際の健康状態及び疾患状態に近い形状を有することを特徴とする請求項１から３のいずれかに記載の歯茎ディスプレイ。
【請求項５】
前記設置部が、
透明ケースで構成され、前面部に指を挿入し歯茎部分に触れることを可能とする開口部が設けられたことを特徴とする請求項１から４のいずれかに記載の歯茎ディスプレイ。
【考案の詳細な説明】
【技術分野】
【０００１】
本考案は、健康状態及び疾患状態を模した歯茎ディスプレイに関する。
【背景技術】
【０００２】
近年、歯周病等により歯茎に疾患を有する人が増加しているが、これらの症状は歯痛を伴うものではないために自覚症状がなく、自分の歯茎が健康な状態か疾患を有する状態かは、写真や文章による情報を参考に、歯茎の弾力性、色彩、形状等に基づいて視覚又は触覚により判断せざるを得ないのが現状である。
【考案の開示】
【考案が解決しようとする課題】
【０００３】
しかしながら、上記のように弾力性、色彩、形状等により歯茎の健康状態を判断しようとしても、自己の歯茎を見たり触ったりするだけでは、疾患を有するか否か一般には判断が困難であった。特に、弾力性等の触感による場合には、写真や文章に基づいて判断することは極めて困難であるため、歯茎が疾患状態にあってもそれに気づかず、適切な対処をしないまま症状が悪化することもあった。
【０００４】
本考案は、上記課題に鑑みてなされたものであり、その目的は、健康状態の歯茎と疾患状態の歯茎とを具体的に比較できるようにすることで、自己の歯茎が健康状態であるか疾患状態であるかの判断を容易かつ的確に行えるようにし、歯周病等の歯茎疾患の早期発見と認識を促すことにある。
【課題を解決するための手段】
【０００５】
請求項１に記載の歯茎ディスプレイは、健康状態の歯茎を模した歯及び歯茎モデルと、疾患状態の歯茎を模した歯及び歯茎モデルと、前記歯及び歯茎モデルが、視覚的及び／又は触覚的に認識可能な状態で並置される設置部とを有することを特徴としている。
【０００６】
このように、健康状態の歯茎モデルと、疾患状態の歯茎モデルを、視覚的及び／又は触覚的に認識可能な状態で並置することによって、両者を客観的に対比することが可能となり、自己の歯茎の状態が健康か否かの判断を容易かつ的確に行うことができる。健康状態の歯茎と疾患状態の歯茎の差異は、請求項２から請求項４に記載するように、弾力性、色彩、又は形状におけるものが考えられるが、実際に生じうるその他の視覚上及び／又は触覚上の差異であってもよい。設置部は、前記歯茎モデルを並べて固定することが可能なものであれば、形状は問わない。例えば、台状のもの、板状のもの、又は請求項５に記載のような透明ケース状のもの等が考えられる。
【０００７】
請求項２に記載の歯茎ディスプレイは、前記歯及び歯茎モデルが、実際の健康状態及び疾患状態に近い弾力性を有することを特徴としている。これにより、健康状態の歯茎と疾患状態の歯茎とを触覚的に対比しつつ客観的に認識することが可能となる。歯及び歯茎モデルの材質は、例えばシリコン等が挙げられるが、弾力性に差異を持たせられる材質であればよい。疾患状態の弾力性とは、一般的には健康状態に比べ歯茎が柔らかくなる状態をいうが、実際に生じうるその他の弾力性の差異であってもよい。
【０００８】
請求項３に記載の歯茎ディスプレイは、前記歯及び歯茎モデルが、実際の健康状態及び疾患状態に近い色彩を有することを特徴としている。これにより、健康状態の歯茎と疾患状態の歯茎とを視覚的に対比しつつ客観的に認識することが可能となる。疾患状態の色彩とは、一般的には健康状態に比べ赤黒くなる状態をいうが、実際に生じうるその他の色彩上の差異であってもよい。
【０００９】
請求項４に記載の歯茎ディスプレイは、前記歯及び歯茎モデルが、実際の健康状態及び疾患状態に近い形状を有することを特徴としている。これにより、健康状態の歯茎と疾患状態の歯茎とを視覚的に対比しつつ客観的に認識することが可能となる。疾患状態の形状とは、健康状態に比べ歯茎の位置が下がり、歯の根元が緩くなる状態等が挙げられるが、実際に生じうるその他の形状の差異であってもよい。
【００１０】
請求項５に記載の歯茎ディスプレイは、前記設置部が、透明ケースで構成され、前面部に指を挿入し歯茎部分に触れることを可能とする開口部が設けられたことを特徴としている。このように、設置部が透明ケースであって、指を挿入できる開口部が前面部に設けられている場合、利用者はこれらの歯及び歯茎モデルを外側から見ることができ、実際に触ることもできる。さらに、これらの歯及び歯茎モデルの汚れや破損を防ぐことも可能となる。また、自己の歯茎を触ってその状態を確認する場合、指で歯茎の外側に触れるのが普通であるが、このように前面部にしか触れることができない状態にすることで、実際に自己の歯茎に触れる時と同じ状態を作り出すことを可能としている。透明ケースは、全体が透明なものに限られず、一部に不透明な部分があったとしても、内部に設置された歯及び歯茎モデルが外側から視認可能なものであればよい。また、材質及び形状は問わない。開口部は、人間の指が挿入可能な大きさであればよく、内部に設置された歯及び歯茎モデルの歯茎部分に触れることができるような位置に設けられたものであればよい。
【考案の効果】
【００１１】
本考案によれば、健康状態の歯茎と疾患状態の歯茎を視覚的及び／又は触覚的に比較し認識できるため、自己の歯茎が健康状態であるか疾患状態であるかの判断を容易にすることができる。
【考案を実施するための最良の形態】
【００１２】
以下、本考案の実施の形態について図面に基づいて詳細に説明する。図１は本考案の一実施例を示す歯茎ディスプレイの正面図であり、図２は実際の使用状態を表す斜視図である。
【００１３】
図示のように、本実施の形態に係る歯茎ディスプレイは、２つの歯及び歯茎モデル１０、１２が設置部としての透明ケース１００に収められている。透明ケース１００は、透明のプラスチックにて形成されており、奥行き１０ｃｍ前後、高さ１０〜１５ｃｍ、幅２０ｃｍ前後のサイズを有している。一方、２つの歯及び歯茎モデル１０、１２は、実際の歯及び歯茎を模して作成された立体模型であり、透明ケース１００内に装填可能なサイズに形成されている。
【００１４】
本実施の形態では、歯及び歯茎モデル１０は、健康状態の歯及び歯茎を模したモデルであり、歯及び歯茎モデル１２は、疾患状態の歯及び歯茎を模したモデルである。また、歯周病を疾患の例としており、歯及び歯茎モデル１２の歯茎部１２ａは、歯及び歯茎モデル１０の歯茎部１０ａと比べて柔らかく、赤黒く、根元まで垂れ下がった状態になるように作られている。すなわち、両者はその弾力性、色彩、形状において明瞭に異なっている。
【００１５】
透明ケース１００は、図２から理解されるように背面及び底面以外が透明な直方体の箱状であり、正面から見ると内部に設置された歯及び歯茎モデル１０並びに歯及び歯茎モデル１２が外からはっきり視認できる。この透明ケース１００の背面内側の中央位置に、歯及び歯茎モデル１０並びに歯及び歯茎モデル１２が横に並んだ状態で取り付けられている。そして、透明ケース１００の前面部に、歯及び歯茎モデル１０並びに歯及び歯茎モデル１２のそれぞれの歯茎部分に直接触れることができるように、円形の開口部１４が設けられている。図２に示すように、この開口部１４から指１本を入れて各々の歯及び歯茎モデルの歯茎部分に触れ、健康状態及び疾患状態それぞれの歯茎の弾力性の違いを触覚により確認することが可能となる。なお、自己の歯茎に触れる場合には指１本のみを用いるのが通常であることから、開口部を指２本以上は容易に挿入できない程度の大きさにすることにより、実際に歯茎に触れる時の状態により近づけることも可能である。例えば、このような透明ケース１００を、薬局の店頭や店内又は歯科医院の待合室等の顧客や患者の目につく場所に設置することにより、顧客等はこれを自由に見て確認したり、指でその触感を体験したりすることができ、特に、歯の状態が気になっている顧客や患者にとっては有用な資料となる。その際には、図に示すように、ケースの壁面又は底面等に、各々の歯及び歯茎モデルの説明や、歯周病等に効果のある商品名等の情報を記載することもできる。
【００１６】
以上、実施の形態について説明したが、本考案は上記実施の形態に示された構成に限定されるものではなく、考案の要旨の範囲内で種々の変更が可能である。
【００１７】
例えば、設置部は、上記実施例では透明ケースであるディスプレイを示しているが、必ずしも全体が覆われている必要はなく、視覚的又は触覚的に健康状態及び疾患状態の歯茎が対比可能なものであればよい。また、設置される健康状態及び疾患状態の歯及び歯茎モデルの数は、２種類に限られるものではなく、疾患の種類別に、又は疾患の程度により段階的に２種類以上の歯及び歯茎モデルを設置することも可能である。
【図面の簡単な説明】
【００１８】
【図１】本考案の実施の形態を示す説明図（正面図）である。
【図２】本考案の実施の形態を示す説明図（斜視図）である。
【符号の説明】
【００１９】
１０    健康状態の歯及び歯茎モデル
１０ａ  健康状態の歯及び歯茎モデルの歯茎部
１２    疾患状態の歯及び歯茎モデル
１２ａ  疾患状態の歯及び歯茎モデルの歯茎部
１４    透明ケース前面部に設けられた開口部
１００  透明ケース
【図１】
0003107818.tif 000003
【図２】
0003107818.tif 000004